(57)【要約】【課題】操作ハンドルの戻し忘れを低減できる水栓装置を提供すること。【解決手段】止水状態となる止水位置と、上方側に配置される上方側吐水口１４２ａから吐水する吐水状態となる吐水位置と、下方側に配置される下方側吐水口５０１から配管内の滞留水を排水する捨水状態となる捨水位置と、に切り替え可能な操作ハンドル２３を備える水栓装置であって、操作ハンドル２３は、止水位置から捨水位置を経由して吐水位置に切り替え可能であると共に、吐水位置から捨水位置を経由して止水位置に切り替え可能であり、捨水位置から吐水位置へ切り替える際の操作ハンドル２３の操作力と、捨水位置から止水位置へ切り替える際の操作ハンドル２３の操作力と、が異なるように構成される。【選択図】図１４
2019044436.tif 000002
【特許請求の範囲】
【請求項１】
止水状態となる止水位置と、上方側に配置される上方側吐水口から吐水する吐水状態となる吐水位置と、下方側に配置される下方側吐水口から配管内の滞留水を排水する捨水状態となる捨水位置と、に切り替え可能な操作ハンドルを備える水栓装置であって、
前記操作ハンドルは、前記止水位置から前記捨水位置を経由して前記吐水位置に切り替え可能であると共に、前記吐水位置から前記捨水位置を経由して前記止水位置に切り替え可能であり、
前記捨水位置から前記吐水位置へ切り替える際の前記操作ハンドルの操作力と、前記捨水位置から前記止水位置へ切り替える際の前記操作ハンドルの操作力と、が異なるように構成される水栓装置。
【請求項２】
前記捨水位置から前記止水位置へ切り替える際の前記操作ハンドルの操作力は、前記捨水位置から前記吐水位置へ切り替える際の前記操作ハンドルの操作力よりも小さい請求項１に記載の水栓装置。
【請求項３】
固定側部材と、前記操作ハンドルの回転操作に応じて前記固定側部材に対して回転可能な可動側部材と、備え、
前記固定側部材及び前記可動側部材のうちのいずれか一方は、凸部を有し、
前記固定側部材及び前記可動側部材のうちのいずれか他方は、前記可動側部材が回転して前記操作ハンドルが前記捨水位置に位置する際に、前記凸部に係合する凹溝を有し、
前記凸部及び前記凹溝の少なくとも一方は、前記操作ハンドルを前記捨水位置から前記吐水位置へ切り替える場合に、前記凸部と前記凹溝との係合状態から前記凸部又は前記凹溝が脱する際に通過する第１傾斜部を有し、前記操作ハンドルを前記捨水位置から前記止水位置へ切り替える場合に、前記凸部と前記凹溝との係合状態から前記凸部又は前記凹溝が脱する際に通過する第２傾斜部を有し、
前記第１傾斜部の傾斜角度と、前記第２傾斜部の傾斜角度とが異なるように構成される請求項１又は２に記載の水栓装置。
【請求項４】
前記操作ハンドルは、水栓本体に対して回転可能であり、円筒部と、前記円筒部の周面から径方向に突出する突出部と、を有し、
前記操作ハンドルが前記捨水位置に位置する場合に、前記突出部は、水平方向及び垂直方向ではない方向に突出する位置に配置される請求項１から３のいずれかに記載の水栓装置。
【請求項５】
前記操作ハンドルは、水栓本体に対して回転可能であり、円筒部と、前記円筒部の周面から径方向に突出する突出部と、を有し、
前記操作ハンドルが前記吐水位置及び前記止水位置の少なくとも一方に位置する場合に、前記突出部は、水平方向又は垂直方向に突出する位置に配置される請求項１から４のいずれかに記載の水栓装置。
【発明の詳細な説明】
【技術分野】
【０００１】
本発明は、操作ハンドルを備える水栓装置に関する。
【背景技術】
【０００２】
従来、止水状態となる止水位置と、上方側に配置される上方側吐水口から吐水するシャワー吐水状態（吐水状態）となるシャワー吐水位置（吐水位置）と、下方側に配置される下方側吐水口から配管内の滞留水を排水する冷水捨水状態（捨水状態）となる冷水捨水位置（捨水位置）と、に切り替え可能な操作ハンドルを備える水栓装置が知られている（例えば、特許文献１参照）。特許文献１に記載の操作ハンドルは、止水位置から冷水捨水位置を経由してシャワー吐水位置に切り替える操作が可能であり、止水位置からシャワー吐水位置に切り替える途中における冷水捨水位置で操作を停止して、配管内に滞留する冷水（滞留水）を排水することができる。
【先行技術文献】
【特許文献】
【０００３】
【特許文献１】特開２００９−１８９６０５号公報
【発明の概要】
【発明が解決しようとする課題】
【０００４】
特許文献１に記載の水栓装置においては、操作ハンドルは、止水位置から冷水捨水位置を経由してシャワー吐水位置に切り替える操作が可能であり、シャワー吐水位置においてシャワー吐水の終了後には、シャワー吐水位置から冷水捨水位置を経由して止水位置に切り替える操作が可能である。操作ハンドルをシャワー吐水位置から止水位置に切り替える際には、回転操作の途中において、冷水捨水位置を経由する。
【０００５】
そのため、シャワー吐水位置においてシャワー吐水の終了後には、操作ハンドルをシャワー吐水位置から止水位置に回転操作した場合に、回転操作の途中の冷水捨水位置において、操作ハンドルの操作を終了してしまうことがあった。冷水捨水位置において操作ハンドルの戻し忘れが生じると、下方側吐水口から水を流出させてしまい、大量の水が無駄になる。従って、操作ハンドルの止水位置への戻し忘れを低減できることが望まれる。
【０００６】
本発明は、操作ハンドルの止水位置への戻し忘れを低減できる水栓装置を提供することを目的とする。
【課題を解決するための手段】
【０００７】
本発明は、止水状態となる止水位置と、上方側に配置される上方側吐水口（例えば、後述の散水孔１４２ａ）から吐水する吐水状態となる吐水位置と、下方側に配置される下方側吐水口（例えば、後述の下方側吐水口５０１）から配管内の滞留水を排水する捨水状態となる捨水位置と、に切り替え可能な操作ハンドル（例えば、後述のオーバーヘッドシャワー用操作ハンドル２３）を備える水栓装置（例えば、後述のシャワー装置１０）であって、前記操作ハンドルは、前記止水位置から前記捨水位置を経由して前記吐水位置に切り替え可能であると共に、前記吐水位置から前記捨水位置を経由して前記止水位置に切り替え可能であり、前記捨水位置から前記吐水位置へ切り替える際の前記操作ハンドルの操作力と、前記捨水位置から前記止水位置へ切り替える際の前記操作ハンドルの操作力と、が異なるように構成される水栓装置に関する。
【０００８】
また、前記捨水位置から前記止水位置へ切り替える際の前記操作ハンドルの操作力は、前記捨水位置から前記吐水位置へ切り替える際の前記操作ハンドルの操作力よりも小さいことが好ましい。
【０００９】
また、固定側部材（例えば、後述の円環クリック部材４７）と、前記操作ハンドルの回転操作に応じて前記固定側部材に対して回転可能な可動側部材（例えば、後述の円筒ストッパ部材４６）と、備え、前記固定側部材及び前記可動側部材のうちのいずれか一方は、凸部（例えば、後述の係合凸部４６１）を有し、前記固定側部材及び前記可動側部材のうちのいずれか他方は、前記可動側部材が回転して前記操作ハンドルが前記捨水位置に位置する際に、前記凸部に係合する凹溝（例えば、後述の係合凹溝４７１）を有し、前記凸部及び前記凹溝の少なくとも一方は、前記操作ハンドルを前記捨水位置から前記吐水位置へ切り替える場合に、前記凸部と前記凹溝との係合状態から前記凸部又は前記凹溝が脱する際に通過する第１傾斜部（例えば、後述の第１湾曲面４６１ａ、第１傾斜面４７１ａ）を有し、前記操作ハンドルを前記捨水位置から前記止水位置へ切り替える場合に、前記凸部と前記凹溝との係合状態から前記凸部又は前記凹溝が脱する際に通過する第２傾斜部（例えば、後述の第２湾曲面４６１ｂ、第２傾斜面４７１ｂ）を有し、前記第１傾斜部の傾斜角度と、前記第２傾斜部の傾斜角度とが異なるように構成されることが好ましい。
【００１０】
また、前記操作ハンドルは、水栓本体（例えば、後述の水栓本体３１）に対して回転可能であり、円筒部（例えば、後述の操作ハンドル本体２３０）と、前記円筒部の周面から径方向に突出する突出部（例えば、後述の指示突出部２３１）と、を有し、前記操作ハンドルが前記捨水位置に位置する場合に、前記突出部は、水平方向及び垂直方向ではない方向に突出する位置に配置されることが好ましい。
【００１１】
また、前記操作ハンドルは、水栓本体に対して回転可能であり、円筒部と、前記円筒部の周面から径方向に突出する突出部と、を有し、前記操作ハンドルが前記吐水位置及び前記止水位置の少なくとも一方に位置する場合に、前記突出部は、水平方向又は垂直方向に突出する位置に配置されることが好ましい。
【発明の効果】
【００１２】
本発明によれば、操作ハンドルの戻し忘れを低減できる水栓装置を提供することができる。
【図面の簡単な説明】
【００１３】
【図１】本発明の浴室の全体構成を示す斜視図である。
【図２】シャワー装置における４つの操作ハンドルを示す正面図である。
【図３】本発明のオーバーヘッドシャワー用水栓装置を示す斜視図である。
【図４】図３のＡ−Ａ線断面図である。
【図５】本発明のオーバーヘッドシャワー用水栓装置からオーバーヘッドシャワー用操作ハンドルを取り外した状態を示す斜視図である。
【図６】オーバーヘッドシャワー用シリンダ弁装置を示す斜視図である。
【図７】オーバーヘッドシャワー用シリンダ弁装置を、シリンダ弁体とベーンケースとに分離した状態を示す斜視図である。
【図８】オーバーヘッドシャワー用操作ハンドル、円筒ストッパ部材及び円環クリック部材を側方から見た図である。
【図９】円筒ストッパ部材及び円環クリック部材が当接する部分の形状を示す斜視図である。
【図１０】オーバーヘッドシャワー用操作ハンドルが止水位置に位置する場合の図であって、（ａ）は、オーバーヘッドシャワー用操作ハンドル、円筒ストッパ部材及び円環クリック部材の位置関係を示す図であり、（ｂ）は、円筒ストッパ部材及び円環クリック部材の位置関係を示す図である。
【図１１】オーバーヘッドシャワー用操作ハンドルが冷水捨水位置に位置する場合の図であって、（ａ）は、オーバーヘッドシャワー用操作ハンドル、円筒ストッパ部材及び円環クリック部材の位置関係を示す図であり、（ｂ）は、円筒ストッパ部材及び円環クリック部材の位置関係を示す図である。
【図１２】オーバーヘッドシャワー用操作ハンドルがオーバーヘッドシャワー吐水位置に位置する場合の図であって、（ａ）は、オーバーヘッドシャワー用操作ハンドル、円筒ストッパ部材及び円環クリック部材の位置関係を示す図であり、（ｂ）は、円筒ストッパ部材及び円環クリック部材の位置関係を示す図である。
【図１３】オーバーヘッドシャワー用操作ハンドルが止水位置に位置する場合の図であって、図１０のＢ−Ｂ線断面図である。
【図１４】オーバーヘッドシャワー用操作ハンドルが冷水捨水位置に位置する場合の図であって、図１１のＣ−Ｃ線断面図である。
【発明を実施するための形態】
【００１４】
以下、本発明の実施形態の浴室１について、図面を参照しながら説明する。
本実施形態の浴室１は、図１に示すように、複数の壁パネル２と、天井パネル３と、洗い場床（防水パン）４と、ベンチカウンター５と、シャワー装置１０（水栓装置）と、図示しない浴槽や浴室出入口や窓等と、を備える。
【００１５】
シャワー装置１０は、浴室１内の壁パネル２の壁面２ａに設けられるシャワー装置本体１１（装置本体）と、オーバーヘッドシャワー部１４と、打たせ湯部１５と、下方側吐水部５０と、ハンドシャワー部１３と、を備える。
【００１６】
シャワー装置１０には、給湯配管（図示せず）により、湯が供給され、給水配管（図示せず）により、水が供給される。給湯配管（図示せず）及び給水配管（図示せず）は、湯及び水を混合する混合バルブ（図示せず）に接続される。混合バルブにより混合された湯水は、各配管（図示せず）及び切替バルブ（図示せず）等を介して、ハンドシャワー部１３、オーバーヘッドシャワー部１４、打たせ湯部１５及び下方側吐水部５０にそれぞれ流通される。
【００１７】
シャワー装置本体１１は、壁パネル２の壁面２ａに取り付けられると共に上下方向に細長い中空箱型のシャワー筐体１１１と、シャワー筐体１１１の内部に配置される配管（給湯配管、給水配管等）（図示せず）及び切替バルブ（図示せず）等と、を備えて構成されている。
【００１８】
シャワー筐体１１１は、上端部が、天井パネル３の下面で構成される浴室天井面３ａに設置されるオーバーヘッドシャワー筐体１４１の下面に接続され、下端部が、洗い場床４の上面（床面）から離間して配置される。シャワー筐体１１１の下端部には、下方側吐水部５０が取り付けられる。
【００１９】
シャワー筐体１１１の前面１１１ａにおける中央よりも下方側の部分には、４つの操作ハンドル２０が縦一列に設けられる。
【００２０】
シャワー筐体１１１の下方側における一方側の側面１１１ｃには、給湯配管（図示せず）及び給水配管（図示せず）の接続位置に対応した位置に、点検口２５と、点検口２５を塞ぐ蓋部材２６と、が設けられている。
【００２１】
オーバーヘッドシャワー部１４は、オーバーヘッドシャワー筐体１４１を有する。オーバーヘッドシャワー筐体１４１は、シャワー筐体１１１の上端部から天井パネル３の浴室天井面３ａに沿って水平に延びる直方体形状に形成される。オーバーヘッドシャワー筐体１４１の下面には、オーバーヘッドシャワー吐水部１４２が設けられる。オーバーヘッドシャワー部１４は、オーバーヘッドシャワー用操作ハンドル２３（後述）によって吐水操作され、シャワー装置本体１１の上方側において、オーバーヘッドシャワー吐水部１４２に設けられた複数の散水孔１４２ａ（上方側吐水口）から、シャワー水（湯水）を下向きに散水する。
【００２２】
打たせ湯部１５は、打たせ湯吐水部１５１を有する。打たせ湯吐水部１５１は、ベンチカウンター５の上方において、天井パネル３の浴室天井面３ａに設けられる。打たせ湯部１５は、打たせ湯用操作ハンドル２４（後述）によって吐水操作されシャワー装置本体１１の上方側において、打たせ湯吐水口１５１ａから間欠的に湯水を落下させるように構成されている。
【００２３】
ハンドシャワー部１３は、シャワーホース１３１と、シャワーホース１３１の先端に設けられたシャワーヘッド１３２と、を有する。シャワーホース１３１は、シャワー筐体１１１の他方側の側面１１１ｄに設けられた継手（図示せず）を介してシャワー装置本体１１に接続されている。ハンドシャワー部１３は、ハンドシャワー用操作ハンドル２２（後述）によって吐水操作されるように構成されている。
【００２４】
下方側吐水部５０は、シャワー装置本体１１のシャワー筐体１１１の下面（底面）１１１ｂに取り付けられる。下方側吐水部５０は、下端側が、手前側に下るように傾斜した直線状に延び、下方側吐水部５０の下端には、下方側吐水口５０１が設けられる。下方側吐水口５０１は、シャワー装置本体１１の下方側に配置される。下方側吐水口５０１は、シャワー装置本体１１に対面した場合におけるシャワー装置本体１１の手前側を向くように配置される。
【００２５】
下方側吐水部５０は、下方側吐水口５０１から吐水される水を斜め下方の手前側に向けて吐水する。下方側吐水部５０からは、後述するように、オーバーヘッドシャワー用操作ハンドル２３の冷水捨水位置において排水される冷水や、打たせ湯用操作ハンドル２４の冷水捨水位置において排水される冷水や、ハンドシャワー用操作ハンドル２２の下方側吐水位置において下方側吐水部５０から吐水される湯水が吐水される。
【００２６】
４つの操作ハンドル２０は、図１に示すように、シャワー装置本体１１のシャワー筐体１１１の前面１１１ａの下方側に配置される。４つの操作ハンドル２０は、図２に示すように、下方から上方に向かって順に、混合水の温度調節用の温度調節用操作ハンドル２１、ハンドシャワー用操作ハンドル２２、オーバーヘッドシャワー用操作ハンドル２３（操作ハンドル）、打たせ湯用操作ハンドル２４である。
【００２７】
各操作ハンドル２１，２２，２３，２４は、回転可能な回転ハンドル式で構成され、それぞれ外周面から径方向外方に突出した指示突出部２１１，２２１，２３１，２４１が設けられている。指示突出部２１１，２２１，２３１，２４１は、各操作ハンドル２１，２２，２３，２４の周囲に表示された表示部１２１，１２２，１２３，１２４の示す位置によって、現在の操作状態を目視で確認できる。
【００２８】
温度調節用操作ハンドル２１は、湯及び水を混合する混合バルブ（図示せず）における湯水の水温を調整するように操作可能である。混合バルブは、供給された水と湯とを温度調節用操作ハンドル２１の操作に応じて所定比率で混合し、適温の温調水（温度調節された湯）とするバルブである。
【００２９】
図２に示すように、シャワー装置本体１１のシャワー筐体１１１の前面１１１ａにおいて、温度調節用操作ハンドル２１の周囲には、表示部１２１が表示されている。表示部１２１には、温度調整の範囲を示す円弧状の曲線、温度を示す「Ｃ」、「Ｈ」及び「４０」の文字の表示が表されている。温度調節用操作ハンドル２１の指示突出部２１１は、表示部１２１の表示内容に対応して回転操作され、湯水の調節温度の表示内容に対応した方向に突出する位置に配置される。
【００３０】
ハンドシャワー用操作ハンドル２２は、止水状態となる止水位置と、シャワーヘッド１３２からシャワー吐水を行うシャワー吐水状態となるハンドシャワー吐水位置と、下方側吐水部５０から湯水を吐水する下方側吐水状態となる下方側吐水位置と、の３位置に切り替え操作可能である。
【００３１】
シャワー装置本体１１のシャワー筐体１１１の前面１１１ａにおいて、ハンドシャワー用操作ハンドル２２の周囲には、表示部１２２が表示されている。表示部１２２には、水平方向の左側に示される止水位置表示１２２ａ（横線）、垂直方向の上方側に示されるハンドシャワー吐水位置表示１２２ｂ（ハンドシャワー部１３からの吐水の絵の表示）、垂直方向の下方側に示される下方側吐水位置表示１２２ｃ（下方側吐水部５０からの吐水の絵の表示）が表されている。
【００３２】
ハンドシャワー用操作ハンドル２２の指示突出部２２１は、表示部１２２の表示内容に対応して回転操作され、止水状態においては、止水位置表示１２２ａの方向に突出する位置に配置され、シャワー吐水状態においては、ハンドシャワー吐水位置表示１２２ｂの方向に突出する位置に配置され、下方側吐水状態においては、下方側吐水位置表示１２２ｃの方向に突出する位置に配置される。
【００３３】
ハンドシャワー用操作ハンドル２２は、ハンドシャワー用切替バルブ（図示せず）に接続されている。ハンドシャワー用切替バルブは、ハンドシャワー用操作ハンドル２２の切り替え操作により、ハンドシャワー用操作ハンドル２２の回転動作における各位置に対応して、止水状態、ハンドシャワー部１３から湯水を吐水するハンドシャワー吐水状態、下方側吐水部５０から湯水を吐水する下方側吐水状態と、の３つの状態に切り替え可能である。
【００３４】
オーバーヘッドシャワー用操作ハンドル２３は、図２に示すように、止水状態となる止水位置と、オーバーヘッドシャワー吐水状態（吐水状態）となるオーバーヘッド側吐水位置と、下方側吐水部５０から配管内の冷水（滞留水）を排水する冷水捨水状態（捨水状態）となる冷水捨水位置（捨水位置）と、の３つの位置に切り替え操作可能である。
オーバーヘッドシャワー用操作ハンドル２３は、止水位置から冷水捨水位置を経由してオーバーヘッド側吐水位置に切り替え可能であると共に、オーバーヘッド側吐水位置から冷水捨水位置を経由して止水位置に切り替え可能である。
また、オーバーヘッドシャワー用操作ハンドル２３は、シャワー吐水状態において、回転角度に応じて流量を変化させる流量操作部も兼ねている。
【００３５】
シャワー装置本体１１のシャワー筐体１１１の前面１１１ａにおいて、オーバーヘッドシャワー用操作ハンドル２３の周囲には、表示部１２３が表示されている。表示部１２３には、水平方向の左側に示される止水位置表示１２３ａ（横線）、オーバーヘッドシャワー用操作ハンドル２３の中心角における止水位置から角度６０°の位置に表示される冷水捨水位置表示１２３ｂ（下方側吐水部５０から吐水される絵の表示）、冷水捨水位置表示１２３ｂから右側に向かうに従って水量が大きくなるように表示されるシャワー吐水位置表示１２３ｃ（徐々に大きくなる円弧状の線の表示、オーバーヘッドシャワー部１４から吐水される絵の表示）が表されている。シャワー吐水位置表示１２３ｃは、オーバーヘッドシャワー用操作ハンドル２３の中心角における止水位置から角度６０°の位置から、水平方向の右側（止水位置から１８０°）までの範囲の表示である。シャワー吐水位置表示１２３ｃの範囲においては、オーバーヘッドシャワー用操作ハンドル２３は、シャワー吐水状態において、回転角度に応じて流量を変化させることができる。
【００３６】
オーバーヘッドシャワー用操作ハンドル２３の指示突出部２３１は、表示部１２３の表示内容に対応して回転操作され、止水状態においては、止水位置表示１２３ａ（水平方向の左側）の方向に突出する位置に配置され、下方側吐水部５０の冷水捨水状態においては、冷水捨水位置表示１２３ｂ（水平方向及び垂直方向ではない止水位置から角度６０°の方向）の方向に突出する位置に配置され、シャワー吐水状態においては、シャワー吐水位置表示１２３ｃの範囲の方向に突出する位置に配置される。
【００３７】
オーバーヘッドシャワー用操作ハンドル２３は、オーバーヘッドシャワー用シリンダ式弁装置４０（図４参照）に接続されている。オーバーヘッドシャワー用シリンダ式弁装置４０は、オーバーヘッドシャワー用操作ハンドル２３の切り替え操作により、オーバーヘッドシャワー用操作ハンドル２３の回転動作における各位置に対応して、止水状態、オーバーヘッドシャワー部１４からのオーバーヘッドシャワー吐水状態及び冷水捨水状態の３つの状態に切り替え可能なバルブである。オーバーヘッドシャワー用シリンダ式弁装置４０の詳細については後述する。
【００３８】
打たせ湯用操作ハンドル２４は、図２に示すように、止水状態となる止水位置と、打たせ湯吐水状態となる打たせ湯吐水位置と、下方側吐水部５０から冷水を排水する冷水捨水位置と、の３つの位置に切り替え操作可能である。
打たせ湯用操作ハンドル２４は、オーバーヘッドシャワー用操作ハンドル２３がオーバーヘッドシャワー部１４から湯水を吐水するように切り替え操作可能であるのに対して、打たせ湯部１５から湯水を吐水するように切り替える操作可能である。
打たせ湯用操作ハンドル２４は、その他の構成について、オーバーヘッドシャワー用操作ハンドル２３と同様の構成を有する。そのため、打たせ湯用操作ハンドル２４の説明は、オーバーヘッドシャワー用操作ハンドル２３の説明を援用して、その説明を省略する。打たせ湯用操作ハンドル２４に関連する構成には、オーバーヘッドシャワー用操作ハンドル２３の説明に使用した符号に対応する符号を付している。
【００３９】
打たせ湯用操作ハンドル２４は、打たせ湯用シリンダ式弁装置（図示せず）に接続されている。打たせ湯用シリンダ式弁装置は、打たせ湯用操作ハンドル２４の切り替え操作により、止水状態、打たせ湯部１５からの吐水状態及び冷水捨水状態の３つの状態に切り替え可能なバルブである。
【００４０】
ここで、下方側吐水部５０は、オーバーヘッドシャワー用操作ハンドル２３による冷水捨水位置への切り替え操作により配管内に滞留した冷水（滞留水）を排水する吐水部と、打たせ湯用操作ハンドル２４による冷水捨水位置への切り替え操作により配管内に滞留した冷水（滞留水）を排水する吐水部と、ハンドシャワー用操作ハンドル２２による切り替え操作により下方側から湯水を吐水する吐水部と、の共通の吐水部である。そのため、下方側吐水部５０から吐水される水は、オーバーヘッドシャワー用操作ハンドル２３の冷水捨水位置において排水される冷水や、及び打たせ湯用操作ハンドル２４の冷水捨水位置において排水される冷水や、ハンドシャワー用操作ハンドル２２の下方側吐水位置において吐水される湯水である。
【００４１】
例えば、ハンドシャワー用操作ハンドル２２を下方側吐水位置に回転操作した場合には、ハンドシャワー用切替バルブ（図示せず）を介して、下方側吐水部５０から、湯水が吐水される。ハンドシャワー用操作ハンドル２２を下方側吐水位置に回転操作することで、下方側吐水部５０から湯水を吐水させて、湯水をそのまま使用したり、洗面器などで湯水を汲むことができる。
【００４２】
また、オーバーヘッドシャワー用操作ハンドル２３又は打たせ湯用操作ハンドル２４を冷水捨水位置に回転操作した場合には、オーバーヘッドシャワー用シリンダ式弁装置４０又は打たせ湯用シリンダ式弁装置（図示せず）を介して、下方側吐水部５０からは、配管内に滞留した冷水（滞留水）を排水することができる。
【００４３】
ここで、冷水捨水位置に操作した場合に、下方側吐水部５０から冷水を排水する構成とした理由について説明する。
オーバーヘッドシャワー部１４や打たせ湯部１５を一定時間使用しなかった後には、給湯器等に接続された給湯配管内の水やその他の配管内の水は、冷水状態にある。このような場合に、オーバーヘッドシャワー用操作ハンドル２３や打たせ湯用操作ハンドル２４を冷水捨水位置に切り替え操作することで、湯及び水を混合する混合バルブ（図示せず）で混合された湯水を供給することにより、配管内の冷水を、下方側吐水部５０から排水することができる。これにより、使用開始時に、上方側に配置されるオーバーヘッドシャワー部１４や打たせ湯部１５から冷水が吐水されるという事態を防止して、下方側吐水部５０から吐水される水の水温を確認した後に、湯水を吐水させることができる。
【００４４】
次に、オーバーヘッドシャワー用シリンダ式弁装置４０を含んで構成されるオーバーヘッドシャワー用水栓装置３０について説明する。
オーバーヘッドシャワー用水栓装置３０は、図３〜図５に示すように、水栓本体３１と、水栓本体３１の内部に収容されるオーバーヘッドシャワー用シリンダ式弁装置４０と、オーバーヘッドシャワー用シリンダ式弁装置４０の先端部に固定されるオーバーヘッドシャワー用操作ハンドル２３（操作ハンドル）と、オーバーヘッドシャワー用シリンダ式弁装置４０とオーバーヘッドシャワー用操作ハンドル２３との間に配置される伝達部材３３と、オーバーヘッドシャワー用操作ハンドル２３の回転位置を規制する位置決めリング３４と、位置決めリング３４を水栓本体３１に固定する固定リング３５と、を備える。
【００４５】
水栓本体３１は、図４に示すように、管体本体３１１と、湯水導入管体３１２と、下方側導出管体３１３と、上方側導出管体３１４と、を備える。
【００４６】
管体本体３１１は、水平方向に直線状に延びる略円筒状の配管により構成される。管体本体３１１の内部には、後端部に配置される湯水導入管体３１２から導入された湯水が水平方向に流通する第１流路Ｆ１が形成される。管体本体３１１の内部には、オーバーヘッドシャワー用シリンダ式弁装置４０が配置される。管体本体３１１の先端側には、伝達部材３３を介して、オーバーヘッドシャワー用操作ハンドル２３が取り付けられ、後端側には、湯水導入管体３１２が接続されている。
【００４７】
湯水導入管体３１２は、管体本体３１１の後端部に接続される。湯水導入管体３１２は、上下方向に延びる。湯水導入管体３１２は、上部開口部３１２ａと、下部開口部３１２ｂと、側部開口部３１２ｃと、を有する。湯水導入管体３１２においては、下部開口部３１２ｂから湯水が導入されて、上部開口部３１２ａから湯水が排水される。下部開口部３１２ｂから導入された湯水は、側部開口部３１２ｃを介して、管体本体３１１に供給される。
【００４８】
下方側導出管体３１３は、管体本体３１１の長手方向の略中央において、下部に接続され、下方側に突出する配管である。下方側導出管体３１３には、配管３１３ａ（図４参照）などを介して、下方側吐水部５０が接続される。下方側導出管体３１３の内部には、管体本体３１１から導出される湯水が下方に向けて流通する第２流路Ｆ２が形成される。
【００４９】
上方側導出管体３１４は、管体本体３１１の長手方向の後方側において、上部に接続され、上方側に延びる配管である。上方側導出管体３１４には、配管（図示せず）などを介して、オーバーヘッドシャワー吐水部１４２が接続される。上方側導出管体３１４の内部には、管体本体３１１から導出される湯水が上方に向けて流通する第３流路Ｆ３が形成される。
【００５０】
オーバーヘッドシャワー用操作ハンドル２３は、図４及び図５に示すように、駆動軸部４４を介して、オーバーヘッドシャワー用シリンダ式弁装置４０に接続されている。オーバーヘッドシャワー用操作ハンドル２３は、水栓本体３１に対して回転可能に設けられる。オーバーヘッドシャワー用操作ハンドル２３は、円筒状の操作ハンドル本体２３０（円筒部）と、指示突出部２３１（突出部）と、を有する。操作ハンドル本体２３０は、外観を構成する円筒状の外側円筒部２３０ａと、外側円筒部２３０ａの内部側に配置される円筒状の内側円筒部２３０ｂと、を備える。内側円筒部２３０ｂは、内側に、内側セレーション部２３０ｃが形成されており、内側円筒部２３０ｂの側面に、図５に示すように、内側円筒部２３０ｂの径方向に突出する位置決め突出部２３０ｄが形成される。指示突出部２３１は、操作ハンドル本体２３０の周面から径方向に突出する。
【００５１】
駆動軸部４４は、図６及び図７に示すように、オーバーヘッドシャワー用操作ハンドル２３の回転軸方向に延びる。図４に示すように、オーバーヘッドシャワー用シリンダ式弁装置４０の駆動軸部４４は、シリンダ弁体４１とオーバーヘッドシャワー用操作ハンドル２３とを接続する。駆動軸部４４は、円筒状に形成され、外周面には、オーバーヘッドシャワー用操作ハンドル２３側に形成される弁体側第１セレーション部４４１と、シリンダ弁体４１側に形成される弁体側第２セレーション部４４２と、が形成される。
【００５２】
駆動軸部４４の先端側は、外周面に形成された弁体側第１セレーション部４４１が伝達部材３３の内側セレーション部２３０ｃに嵌合される。この状態で、駆動軸部４４の先端側は、図４に示すように、ネジ部材３６により、オーバーヘッドシャワー用操作ハンドル２３にネジ固定される。また、駆動軸部４４の後端側は、シリンダ弁体４１の先端部に接続される。これにより、オーバーヘッドシャワー用操作ハンドル２３の回転操作により、駆動軸部４４を介して、シリンダ弁体４１が回転される。
【００５３】
伝達部材３３は、図４に示すように、所定の厚さを有する環状に形成され、外周面に形成される外側セレーション部３３１と、内周面に形成される内側セレーション部３３２と、を有する。外側セレーション部３３１は、オーバーヘッドシャワー用操作ハンドル２３の内側に形成された内側セレーション部２３０ｃに嵌合される。内側セレーション部３３２は、駆動軸部４４の弁体側第１セレーション部４４１に嵌合される。
【００５４】
位置決めリング３４は、図５に示すように、円環状に形成され、円環状の固定リング３５により、水栓本体３１の先端側に固定される。位置決めリング３４は、円弧状突出部３４１を有する。円弧状突出部３４１は、オーバーヘッドシャワー用操作ハンドル２３側の面における外周縁の上方側において円弧状に形成され、軸方向に突出する。位置決めリング３４は、水栓本体３１に固定されている。円弧状突出部３４１は、水栓本体３１に対してオーバーヘッドシャワー用操作ハンドル２３が回転した場合に、オーバーヘッドシャワー用操作ハンドル２３の位置決め突出部２３０ｄの回転方向の位置を規制する。これにより、オーバーヘッドシャワー用操作ハンドル２３の指示突出部２３１は、オーバーヘッドシャワー用操作ハンドル２３の回転軸を中心に、左側の水平方向の位置から右側の水平方向の位置まで、上方側を通る１８０°の半回転の範囲で回転可能となる。
【００５５】
オーバーヘッドシャワー用シリンダ式弁装置４０は、図４に示すように、水栓本体３１の内部に収容される。オーバーヘッドシャワー用シリンダ式弁装置４０は、オーバーヘッドシャワー用操作ハンドル２３の回転操作に連動して、止水状態、下方側吐水部５０から吐水する吐水状態（冷水吐水状態）、又は、オーバーヘッドシャワー吐水部１４２から吐水する吐水状態に切り替えると共に、オーバーヘッドシャワー吐水部１４２の吐水流量の調節を行う。
【００５６】
オーバーヘッドシャワー用シリンダ式弁装置４０は、図６及び図７に示すように、オーバーヘッドシャワー用操作ハンドル２３の回転軸方向に延びる筒状体である。オーバーヘッドシャワー用シリンダ式弁装置４０は、図７に示すように、オーバーヘッドシャワー用操作ハンドル２３の操作に連動して軸周りに回転可能なシリンダ弁体４１と、シリンダ弁体４１の先端に接続される駆動軸部４４と、シリンダ弁体４１を内部に収容する弁ケース４５と、円筒ストッパ部材４６（可動側部材）と、円筒ストッパ部材４６に当接する円環クリック部材４７（固定側部材）と、円環クリック部材４７を円筒ストッパ部材４６に向けて付勢するコイル状の弾性部材４８と、シリンダ弁体４１と、シリンダ弁体４１に円筒ストッパ部材４６に固定する止め輪４９と、を有する。
【００５７】
円筒ストッパ部材４６は、図４に示すように、内周面が、駆動軸部４４の弁体側第２セレーション部４４２に嵌合した状態で、駆動軸部４４に取り付けられる。
【００５８】
円環クリック部材４７は、図４に示すように、円筒ストッパ部材４６に対向して配置される。円環クリック部材４７は、図７に示すように、円環部４７２と、円環部４７２の外周面から径方向の外側に突出する一対の外周側凸部４７３と、を有する。円環クリック部材４７は、円環クリック部材４７の一対の外周側凸部４７３が、弁ケース４５の内周面に形成された係合溝４５３に係合した状態で、弁ケース４５に取り付けられる。これにより、円環クリック部材４７は、弁ケース４５に対して回転不能に、弁ケース４５に取り付けられる。
【００５９】
円筒ストッパ部材４６及び円環クリック部材４７は、オーバーヘッドシャワー用操作ハンドル２３の回転操作時において、冷水捨水位置から脱する際に、クリック感を生じさせる構成を備える。クリック感を生じさせる構成の詳細については、後述する。
【００６０】
弾性部材４８は、図４に示すように、弁ケース４５と円環クリック部材４７との間に配置される。弾性部材４８は、円環クリック部材４７を円筒ストッパ部材４６に向けて付勢する。
【００６１】
シリンダ弁体４１は、図７に示すように、筒状に形成され、オーバーヘッドシャワー用操作ハンドル２３の回転軸方向に延びる。シリンダ弁体４１は、筒状部４２と、筒軸部４３と、を有する。筒状部４２及び筒軸部４３は、同軸上に配置される。
筒軸部４３は、先端側において駆動軸部４４に接続される。
筒状部４２は、筒軸部４３の後端に接続される。筒状部４２の内部には、オーバーヘッドシャワー用操作ハンドル２３の回転軸方向に延びる第１流路Ｆ１（図４参照）が形成される。
【００６２】
筒状部４２の周面には、図７に示すように、２つの第１シリンダ弁体側開口４２１，４２１と、２つの第２シリンダ弁体側開口４２２，４２２とが形成される。
【００６３】
２つの第１シリンダ弁体側開口４２１，４２１は、シリンダ弁体４１が回転することで、第２流路Ｆ２（図４参照）に水を流通させるように、軸方向における水栓本体３１の下方側導出管体３１３（図４参照）が配置される位置において、径方向に貫通して形成される。２つの第１シリンダ弁体側開口４２１，４２１は、水栓本体３１の下方側導出管体３１３が配置される軸方向の範囲において、軸方向に並んで配置される。第１シリンダ弁体側開口４２１，４２１は、軸方向に細長く延びる長方形形状に形成される。
【００６４】
本実施形態においては、止水位置から冷水捨水位置までの回転角度の範囲を９０°よりも小さい角度（例えば、本実施形態では６０°）とした。そのため、回転角度の範囲を狭くしたため、所定の回転位置において水を流通させるように、２つの第１シリンダ弁体側開口４２１，４２１の周方向に大きくせずに、筒状部４２の軸方向に細長く延びる長方形形状に形成している。
【００６５】
第２シリンダ弁体側開口４２２，４２２は、シリンダ弁体４１が回転することで、第３流路Ｆ３（図４参照）に水を流通させるように、軸方向における水栓本体３１の上方側導出管体３１４（図４参照）が配置される位置において、径方向に貫通して形成される。２つの第２シリンダ弁体側開口４２２，４２２は、水栓本体３１の上方側導出管体３１４が配置される軸方向の範囲において、軸方向に並んで配置される。第２シリンダ弁体側開口４２２，４２２は、第１シリンダ弁体側開口４２１よりも周方向に大きい形状に形成される。
【００６６】
第１シリンダ弁体側開口４２１及び第２シリンダ弁体側開口４２２の形状は、オーバーヘッドシャワー用操作ハンドル２３による回転操作の回転位置に応じて、シリンダ弁体４１が回転された場合に、各開口の開度を調節して、第２流路Ｆ２又は第３流路Ｆ３に流通させる湯水の流量を調節可能な形状に形成されている。
【００６７】
弁ケース４５は、水栓本体３１の内部において、水栓本体３１に固定される。弁ケース４５の内部には、弁ケース４５に対して回転可能なシリンダ弁体４１が配置される。弁ケース４５の周面には、２つの第１ケース側開口４５１，４５１と、２つの第２ケース側開口４５２，４５２とが形成される。２つの第１ケース側開口４５１，４５１及び２つの第２ケース側開口４５２，４５２は、軸方向に並んで配置される。また、２つの第１ケース側開口４５１，４５１も、２つの第２ケース側開口４５２，４５２も、それぞれが軸方向に並んで配置される。
【００６８】
２つの第１ケース側開口４５１，４５１は、シリンダ弁体４１が回転することで、第２流路Ｆ２（図４参照）に水を流通させる位置に位置するように、軸方向における水栓本体３１の下方側導出管体３１３が配置される位置において、径方向に貫通して形成される。
２つの第２ケース側開口４５２，４５２は、シリンダ弁体４１が回転することで、第３流路Ｆ３（図４参照）に水を流通させる位置に位置するように、軸方向において、水栓本体３１の上方側導出管体３１４が配置される位置において貫通して形成される。
【００６９】
弁ケース４５は、オーバーヘッドシャワー用操作ハンドル２３を回転操作しても回転しない。これに対して、弁ケース４５の内部に配置されるシリンダ弁体４１は、オーバーヘッドシャワー用操作ハンドル２３の回転操作に連動して回転する。これにより、オーバーヘッドシャワー用操作ハンドル２３の回転操作に連動して、シリンダ弁体４１が回転することで、第１シリンダ弁体側開口４２１，４２１及び第２シリンダ弁体側開口４２２，４２２が、弁ケース４５の第１ケース側開口４５１，４５１又は２つの第２ケース側開口４５２，４５２に対応した位置において連通する。
【００７０】
以上のように構成されるオーバーヘッドシャワー用水栓装置３０においては、オーバーヘッドシャワー用操作ハンドル２３を回転操作することで、指示突出部２３１が水平方向の左側を向く場合、即ち、シリンダ弁体４１が止水位置にある場合には、弁ケース４５の２つの第１ケース側開口４５１，４５１及び２つの第２ケース側開口４５２，４５２は、シリンダ弁体４１の２つの第１シリンダ弁体側開口４２１，４２１及び２つの第２シリンダ弁体側開口４２２，４２２に連通しない位置に配置される。これにより、止水位置においては、第１流路Ｆ１によりシリンダ弁体４１の内部に供給される湯水は、オーバーヘッドシャワー吐水部１４２及び下方側吐水口５０１へは供給されない。
【００７１】
また、オーバーヘッドシャワー用操作ハンドル２３を回転操作することで、指示突出部２３１が止水位置から角度６０°の位置を向く場合、即ち、シリンダ弁体４１が冷水捨水位置にある場合には、弁ケース４５の２つの第１ケース側開口４５１，４５１が、シリンダ弁体４１の２つの第１シリンダ弁体側開口４２１，４２１に連通すると共に、弁ケース４５の２つの第２ケース側開口４５２，４５２が、シリンダ弁体４１の２つの第２シリンダ弁体側開口４２２，４２２に連通しない位置に配置される。これにより、冷水捨水位置においては、第１流路Ｆ１によりシリンダ弁体４１の内部に供給される湯水は、第２流路Ｆ２を介して下方側吐水部５０に送られて、下方側吐水部５０から冷水が排出される。
【００７２】
また、オーバーヘッドシャワー用操作ハンドル２３を回転操作することで、指示突出部２３１が水平方向の右側を向く場合、即ち、シリンダ弁体４１がオーバーヘッドシャワー吐水位置にある場合には、弁ケース４５の２つの第２ケース側開口４５２，４５２が、シリンダ弁体４１の２つの第２シリンダ弁体側開口４２２，４２２に連通すると共に、弁ケース４５の２つの第１ケース側開口４５１，４５１が、シリンダ弁体４１の２つの第１シリンダ弁体側開口４２１，４２１に連通しない位置に配置される。これにより、オーバーヘッドシャワー吐水位置においては、第１流路Ｆ１によりシリンダ弁体４１の内部に供給される湯水は、第３流路Ｆ３を介してオーバーヘッドシャワー吐水部１４２へと送られ、オーバーヘッドシャワー吐水部１４２から湯水が吐水される。
【００７３】
ここで、本実施形態においては、オーバーヘッドシャワー用操作ハンドル２３を冷水捨水位置から脱する回転操作を行う場合に、クリック感を生じさせる構成を備える。
具体的には、オーバーヘッドシャワー用シリンダ式弁装置４０は、図８及び図９に示すように、円筒ストッパ部材４６と、円筒ストッパ部材４６に係合する円環クリック部材４７と、を備える。
【００７４】
オーバーヘッドシャワー用シリンダ式弁装置４０は、図１０〜図１２に示すように、オーバーヘッドシャワー用操作ハンドル２３を、止水位置（図１０参照）と、冷水捨水位置（図１１参照）と、オーバーヘッドシャワー吐水位置（図１２参照）と、に切り替え可能である。オーバーヘッドシャワー用操作ハンドル２３が冷水捨水位置に位置する場合には、図１１に示すように、円筒ストッパ部材４６の係合凸部４６１と、円環クリック部材４７の係合凹溝４７１とが係合される。
【００７５】
円筒ストッパ部材４６は、厚さを有する円環状に形成され、図４に示すように、内周面において、駆動軸部４４の弁体側第２セレーション部４４２に嵌合される。円筒ストッパ部材４６は、オーバーヘッドシャワー用操作ハンドル２３の回転により、駆動軸部４４が回転することで回転される。円筒ストッパ部材４６は、オーバーヘッドシャワー用操作ハンドル２３の回転操作に応じて、円環クリック部材４７に対して回転可能である。
【００７６】
円筒ストッパ部材４６は、図８及び図９に示すように、一対の係合凸部４６１，４６１（凸部）を有する。一対の係合凸部４６１，４６１は、円筒ストッパ部材４６における円環クリック部材４７側の面から突出して形成される。一対の係合凸部４６１，４６１は、周方向に１８０°離間して配置される。
【００７７】
円筒ストッパ部材４６の一対の係合凸部４６１，４６１は、オーバーヘッドシャワー用操作ハンドル２３が回転操作される場合に、図１３及び図１４に示すように、オーバーヘッドシャワー用操作ハンドル２３が止水位置から冷水捨水位置を経由してオーバーヘッドシャワー吐水位置に向かう円筒ストッパ部材４６の正回転方向において、それぞれ、進行方向の前側に形成される第１湾曲面４６１ａ（第１傾斜部）と、オーバーヘッドシャワー吐水位置から止水位置（冷水捨水位置から止水位置）に向かう逆回転方向において、進行方向の前側に形成される第２湾曲面４６１ｂ（第２傾斜部）と、を有する。係合凸部４６１は、第１湾曲面４６１ａ及び第２湾曲面４６１ｂが滑らかに接続された湾曲凸面状に形成される。第１湾曲面４６１ａ及び第２湾曲面４６１ｂは、一対の係合凸部４６１，４６１の両端部において傾斜する湾曲面である。
【００７８】
第１湾曲面４６１ａは、図１４に示すように、オーバーヘッドシャワー用操作ハンドル２３が止水位置から冷水捨水位置を経由してオーバーヘッドシャワー吐水位置へ移動する場合に、円筒ストッパ部材４６の正回転方向への移動により、円筒ストッパ部材４６の一対の係合凸部４６１，４６１と円環クリック部材４７の一対の係合凹溝４７１，４７１との係合状態から、一対の係合凸部４６１，４６１が一対の係合凹溝４７１，４７１から脱する際に乗り越えて通過する斜面である。
【００７９】
第２湾曲面４６１ｂは、オーバーヘッドシャワー用操作ハンドル２３がオーバーヘッドシャワー吐水位置から冷水捨水位置を経由して止水位置へ移動する場合に、円筒ストッパ部材４６の逆回転方向への移動により、円筒ストッパ部材４６の一対の係合凸部４６１，４６１と円環クリック部材４７の一対の係合凹溝４７１，４７１（後述）との係合状態から、一対の係合凹溝４７１，４７１が一対の係合凹溝４７１，４７１から脱する際に乗り越えて通過する斜面である。
【００８０】
第２湾曲面４６１ｂにおける逆回転方向の進行方向に対する立ち上がりの第２傾斜角度α２は、第１湾曲面４６１ａにおける正回転方向の進行方向に対する立ち上がりの第１傾斜角度α１よりも小さい（第２傾斜角度α２＜第１傾斜角度α１）。
【００８１】
円環クリック部材４７は、図４に示すように、弁ケース４５の内周面に係合して固定されている。円環クリック部材４７が弁ケース４５に固定された状態において、円筒ストッパ部材４６は、円環クリック部材４７に対して回転可能である。円環クリック部材４７は、弾性部材４８により、円筒ストッパ部材４６に付勢されて配置される。
【００８２】
円環クリック部材４７は、図８及び図９に示すように、円筒ストッパ部材４６の一対の係合凸部４６１，４６１に係合する一対の係合凹溝４７１，４７１（凹溝）を有する。一対の係合凹溝４７１，４７１は、円環クリック部材４７における円筒ストッパ部材４６側の面から窪んで形成される。一対の係合凹溝４７１，４７１は、円筒ストッパ部材４６の一対の係合凸部４６１，４６１に対応した径方向の位置において、周方向に１８０°離間して配置される。一対の係合凹溝４７１，４７１は、円筒ストッパ部材４６が回転してオーバーヘッドシャワー用操作ハンドル２３が冷水捨水位置（図１１参照）に位置する際に、円筒ストッパ部材４６の一対の係合凸部４６１，４６１に係合する。
【００８３】
円環クリック部材４７の一対の係合凹溝４７１，４７１は、オーバーヘッドシャワー用操作ハンドル２３が回転操作される場合に、図１３及び図１４に示すように、オーバーヘッドシャワー用操作ハンドル２３が止水位置から冷水捨水位置を経由してオーバーヘッドシャワー吐水位置に向かう円筒ストッパ部材４６の正回転方向において、それぞれ、円筒ストッパ部材４６が回転する進行方向の前側に形成される第１傾斜面４７１ａ（第１傾斜部）と、オーバーヘッドシャワー吐水位置から止水位置（冷水捨水位置から止水位置）へ移動する逆回転方向において、進行方向の前側に形成される第２傾斜面４７１ｂ（第２傾斜部）と、第１傾斜面４７１ａと第２傾斜面４７１ｂとを接続する凹溝底面４７１ｃと、を有する。係合凹溝４７１は、第１傾斜面４７１ａ、凹溝底面４７１ｃ及び第２傾斜面４７１ｂが接続されて略台形状に窪む溝状に形成される。第１傾斜面４７１ａ及び第２傾斜面４７１ｂは、一対の係合凹溝４７１，４７１の両端部において傾斜する傾斜面である。
【００８４】
第１傾斜面４７１ａは、図１４に示すように、オーバーヘッドシャワー用操作ハンドル２３が止水位置から冷水捨水位置を経由してオーバーヘッドシャワー吐水位置へ移動する場合に、円筒ストッパ部材４６の正回転方向への移動により、円筒ストッパ部材４６の一対の係合凸部４６１，４６１と円環クリック部材４７の一対の係合凹溝４７１，４７１との係合状態から、一対の係合凸部４６１，４６１が一対の係合凹溝４７１，４７１から脱する際に通過する斜面である。
【００８５】
第２傾斜面４７１ｂは、オーバーヘッドシャワー用操作ハンドル２３がオーバーヘッドシャワー吐水位置から冷水捨水位置を経由して止水位置へ移動する場合に、円筒ストッパ部材４６の逆回転方向への移動により、円筒ストッパ部材４６の一対の係合凸部４６１，４６１と円環クリック部材４７の一対の係合凹溝４７１，４７１との係合状態から、一対の係合凸部４６１，４６１が一対の係合凹溝４７１，４７１から脱する際に乗り越えて通過する斜面である。
【００８６】
第２傾斜面４７１ｂにおける逆回転方向の進行方向に対する立ち上がりの第２傾斜角度β２は、第１傾斜面４７１ａにおける正回転方向の進行方向に対する立ち上がりの第１傾斜角度β１よりも小さい（第２傾斜角度β２＜第１傾斜角度β１）。
【００８７】
次に、オーバーヘッドシャワー用水栓装置３０について、オーバーヘッドシャワー用操作ハンドル２３を回転操作して、シャワー吐水を行う場合について説明する。
ここで、図１０〜図１２に示すように、オーバーヘッドシャワー用操作ハンドル２３は、位置決め突出部２３０ｄの回転方向の両端部が、位置決めリング３４の円弧状突出部３４１の端部３４１ａ，３４１ｂにより回転位置が規制される。これにより、オーバーヘッドシャワー用操作ハンドル２３の指示突出部２３１は、オーバーヘッドシャワー用操作ハンドル２３の回転軸を中心に、左側の水平方向の位置から右側の水平方向の位置まで、上方側を通る１８０°の半回転の範囲で回転可能となる。
【００８８】
この状態で、オーバーヘッドシャワー部１４からシャワー吐水を行う場合には、オーバーヘッドシャワー用操作ハンドル２３を、図１０に示す止水位置から、図１１に示す冷水捨水位置を経由して、図１２に示すオーバーシャワー吐水位置に回転操作する。このオーバーヘッドシャワー用操作ハンドル２３の回転操作の途中で、下方側吐水部５０から冷水を排水するために、図１１に示す冷水捨水位置で停止させる。
【００８９】
この場合に、図１１に示す冷水捨水位置においては、円筒ストッパ部材４６の一対の係合凸部４６１，４６１を、図４に示すように、円環クリック部材４７の一対の係合凹溝４７１，４７１に係合させる。これにより、下方側吐水部５０からは、配管内の冷水（滞留水）が排出されるそして、下方側吐水部５０から排水される冷水の温度を確認できる。
【００９０】
冷水の温度を確認した後に、オーバーヘッドシャワー用操作ハンドル２３を、図１１に示す冷水捨水位置から、図１２に示すオーバーシャワー吐水位置に回転操作により移動させる。この場合に、図１１に示す冷水捨水位置を脱する際に、図１４に示すように、円筒ストッパ部材４６の一対の係合凸部４６１，４６１の第１湾曲面４６１ａは、円環クリック部材４７の一対の係合凹溝４７１，４７１の第１傾斜面４７１ａを乗り越えて脱する。これにより、円筒ストッパ部材４６の一対の係合凸部４６１，４６１と円環クリック部材４７の一対の係合凹溝４７１，４７１との係合状態は解除される。そして、その状態で、オーバーヘッドシャワー用操作ハンドル２３を、図１２に示すオーバーシャワー吐水位置に回転操作させる。
【００９１】
次に、オーバーヘッドシャワー部１４を使用した後に、オーバーヘッドシャワー用操作ハンドル２３を、図１２に示すオーバーシャワー吐水位置から、図１１に示す冷水捨水位置を経由して、図１０に示す止水位置に回転操作する。この場合に、オーバーヘッドシャワー用操作ハンドル２３が冷水捨水位置を通過する際に、円筒ストッパ部材４６の一対の係合凸部４６１，４６１は、一時的に円環クリック部材４７の一対の係合凹溝４７１，４７１に係合する。そして、オーバーヘッドシャワー用操作ハンドル２３を更に回転操作することで、円筒ストッパ部材４６の一対の係合凸部４６１，４６１が円環クリック部材４７の一対の係合凹溝４７１，４７１から脱するように回転操作して、冷水捨水位置から止水位置に移動させる。
【００９２】
この場合、図１１に示す冷水捨水位置を脱する際に、図１４に示すように、円筒ストッパ部材４６の一対の係合凸部４６１，４６１の第２湾曲面４６１ｂは、円環クリック部材４７の一対の係合凹溝４７１，４７１の第２傾斜面４７１ｂを乗り越える。これにより、円筒ストッパ部材４６の一対の係合凸部４６１，４６１と円環クリック部材４７の一対の係合凹溝４７１，４７１との係合状態は解除される。そして、その状態で、オーバーヘッドシャワー用操作ハンドル２３を、図１２に示す止水位置に回転操作させる。
【００９３】
以上のように、冷水捨水位置からオーバーヘッドシャワー位置に切り替える操作を行うことで、円筒ストッパ部材４６を正回転方向に回転する場合には、冷水捨水位置を脱する際に、円筒ストッパ部材４６の一対の係合凸部４６１，４６１の第１湾曲面４６１ａは、円環クリック部材４７の一対の係合凹溝４７１，４７１の第１傾斜面４７１ａを乗り越える。また、冷水捨水位置から止水位置に切り替える操作を行うことで、円筒ストッパ部材４６を逆回転方向に回転する場合には、冷水捨水位置を脱する際に、円筒ストッパ部材４６の一対の係合凸部４６１，４６１の第２湾曲面４６１ｂは、円環クリック部材４７の一対の係合凹溝４７１，４７１の第２傾斜面４７１ｂを乗り越える。
【００９４】
ここで、係合凹溝４７１の第２傾斜面４７１ｂの第２傾斜角度α２は、係合凹溝４７１の第１傾斜面４７１ａの第１傾斜角度α１よりも小さく（第２傾斜角度α２＜第１傾斜角度α１）、係合凸部４６１の第２湾曲面４６１ｂの第２傾斜角度β２は、係合凸部４６１の第１湾曲面４６１ａの第１傾斜角度β１よりも小さい（第２傾斜角度β２＜第１傾斜角度β１）。よって、冷水捨水位置からオーバーシャワー吐水位置側に正回転方向に移動させる際のクリック感と、冷水捨水位置から止水位置側に逆回転方向に移動させる際のクリック感とは異なる。詳細には、冷水捨水位置から止水位置側に移動させる際の操作力は、係合凹溝４７１の第２傾斜面４７１ｂ（第２傾斜角度α２）が、係合凸部４６１の第２湾曲面４６１ｂ（第２傾斜角度β２）を乗り越える力である。一方、冷水捨水位置からオーバーシャワー吐水位置側に移動させる際の操作力は、係合凹溝４７１の第１傾斜面４７１ａ（第１傾斜角度α１）が、係合凸部４６１の第１湾曲面４６１ａ（第１傾斜角度β１）を乗り越える力である。そのため、冷水捨水位置から止水位置側に移動させる際の操作力は、冷水捨水位置からオーバーシャワー吐水位置側に移動させる際の操作力よりも弱い。
【００９５】
よって、冷水捨水位置からオーバーシャワー吐水位置へ切り替える際のオーバーヘッドシャワー用操作ハンドル２３の操作力は、冷水捨水位置から止水位置へ切り替える際のオーバーヘッドシャワー用操作ハンドル２３の操作力と異なるように構成され、冷水捨水位置から止水位置へ切り替える際のオーバーヘッドシャワー用操作ハンドル２３の操作力よりも小さい。
【００９６】
また、冷水捨水位置から止水位置側に移動させる際の操作力が弱いため、オーバーヘッドシャワー吐水位置から止水位置に移動させる際に、オーバーヘッドシャワー吐水位置から冷水捨水位置に移動させた操作力の惰性で、円筒ストッパ部材４６の一対の係合凸部４６１，４６１の第２湾曲面４６１ｂは、円環クリック部材４７の一対の係合凹溝４７１，４７１の第２傾斜面４７１ｂを乗り越えやすい。よって、止水位置に移動しやすく、オーバーヘッドシャワー用操作ハンドル２３の止水位置への戻し忘れを低減できる。
【００９７】
以上説明してきたように、本実施形態によれば、以下の効果が奏される。
本実施形態のシャワー装置１０においては、オーバーヘッドシャワー用操作ハンドル２３は、止水位置から冷水捨水位置を経由してオーバーヘッドシャワー吐水位置に切り替え可能であると共に、オーバーヘッドシャワー吐水位置から冷水捨水位置を経由して止水位置に切り替え可能であり、冷水捨水位置からオーバーヘッドシャワー吐水位置へ切り替える際のオーバーヘッドシャワー用操作ハンドル２３の操作力（操作トルク）と、冷水捨水位置から止水位置へ切り替える際のオーバーヘッドシャワー用操作ハンドル２３の操作力（操作トルク）と、が異なるように構成される。
【００９８】
これにより、オーバーヘッドシャワー吐水位置から冷水捨水位置を経由して止水位置に切り替える場合に、冷水捨水位置から止水位置へ移動するときの操作の感覚を鈍らせることで、オーバーヘッドシャワー用操作ハンドル２３の回転操作を停止せずに、止水位置側への回転を容易に行うことができる。従って、オーバーヘッドシャワー用操作ハンドル２３の止水位置への戻し忘れを低減できる。
【００９９】
また、本実施形態においては、冷水捨水位置から止水位置へ切り替える際のオーバーヘッドシャワー用操作ハンドル２３の操作力（操作トルク）は、冷水捨水位置からオーバーヘッドシャワー吐水位置へ切り替える際のオーバーヘッドシャワー用操作ハンドル２３の操作力（操作トルク）よりも小さい。そのため、冷水捨水位置から止水位置へ切り替える際の操作力が小さいため、オーバーヘッドシャワー吐水位置から冷水捨水位置を経由して止水位置に切り替える場合に、オーバーヘッドシャワー吐水位置から冷水捨水位置へ回転操作する際の惰性により止水位置側に移動して、冷水捨水位置から止水位置へ移動しやくなる。よって、止水位置側への回転を容易に行うことができる。従って、オーバーヘッドシャワー用操作ハンドル２３の止水位置への戻し忘れを低減できる。
【０１００】
また、本実施形態においては、第１湾曲面４６１ａの傾斜角度α１と、第２湾曲面４６１ｂの傾斜角度α２とが異なるように構成され、第１傾斜面４７１ａの傾斜角度β１と、第２傾斜面４７１ｂの傾斜角度β２とが異なるように構成される。そのため、冷水捨水位置から止水位置へ切り替える際の操作力（操作トルク）と、冷水捨水位置からオーバーヘッドシャワー吐水位置へ切り替える際の操作力（操作トルク）とを、簡易な構造で異ならせることができる。
【０１０１】
また、本実施形態においては、オーバーヘッドシャワー用操作ハンドル２３が冷水捨水位置に位置する場合に、指示突出部２３１は、水平方向及び垂直方向ではない方向に突出する位置に配置される。そのため、オーバーヘッドシャワー用操作ハンドル２３が冷水捨水位置に位置する場合に、指示突出部２３１は、水平方向及び垂直方向ではない中途半端な角度を指した状態となる。これにより、オーバーヘッドシャワー用操作ハンドル２３を、オーバーヘッドシャワー吐水位置から冷水捨水位置を経由して止水位置に切り替える場合に、指示突出部２３１が中途半端な角度を指している状態を避けることできるため、止水位置への戻し忘れを低減できる。
【０１０２】
また、本実施形態においては、オーバーヘッドシャワー用操作ハンドル２３が止水位置に位置する場合に、指示突出部２３１は、水平方向に突出する位置に配置される。そのため、指示突出部２３１が、水平方向に突出するため、キリがよい角度である。これにより、使用者は、止水位置を認識しやすく、オーバーヘッドシャワー用操作ハンドル２３の止水位置への戻し忘れを低減できる。
【０１０３】
以上、本発明のシャワー装置１０の好ましい一実施形態について説明したが、本発明は、上述の実施形態に制限されるものではなく、適宜変更が可能である。
例えば、前記実施形態では、操作ハンドルを、オーバーヘッドシャワー用操作ハンドル２３に適用した例について説明したが、これに限定されず、打たせ湯用操作ハンドル２４に適用してもよい。
【０１０４】
前記実施形態では、円筒ストッパ部材４６に係合凸部４６１を設けると共に、円環クリック部材４７に係合凹溝４７１を設けたが、凹凸形状の組み合わせはこれに限定されず、円筒ストッパ部材４６に凹溝を設けると共に、円環クリック部材４７に凸部を設けてもよい。
【０１０５】
前記実施形態においては、係合凸部４６１及び係合凹溝４７１の両方に傾斜部を設けたが、これに限定されない。係合凸部４６１及び係合凹溝４７１のいずれか一方に傾斜部を設けてもよい。また、係合凸部４６１及び係合凹溝４７１において、正回転方向において進行方向の前側に傾斜部を設けると共に、逆回転方向において進行方向の前側に傾斜部を設けたが、これに限定されず、正回転方向又は逆回転方向のいずれか一方の方向において進行方向の前側に傾斜部を設けてもよい。なお、前記実施形態のように、係合凸部４６１及び係合凹溝４７１の両方に同じ方向に傾斜する傾斜部を設けた場合には、互いの傾斜部が対向した状態で傾斜を乗り越えるため、耐久性を向上することができる。
【０１０６】
前記実施形態においては、円筒ストッパ部材４６（可動側部材）の係合凸部４６１の傾斜部が、円環クリック部材４７（固定側部材）の係合凹溝４７１の傾斜部を乗り越えるように構成したが、これに限定されない。例えば、円筒ストッパ部材４６（可動側部材）に凸部が形成され、円環クリック部材４７（固定側部材）に凸部が形成され、一方の凸部が他方の凸部を乗り越えるように構成してもよい。
【０１０７】
前記実施形態においては、オーバーヘッドシャワー用操作ハンドル２３の指示突出部２３１を、止水位置において、水平方向に突出する位置に配置したが、これに限定されず、垂直方向に突出する位置に配置してもよい。また、オーバーヘッドシャワー用操作ハンドル２３の指示突出部２３１を、オーバーヘッドシャワー吐水位置において、水平方向又は垂直方向に突出する位置に配置してもよい。これにより、キリがよい角度であるため、使用者は、止水位置やオーバーヘッドシャワー吐水位置を認識しやすく、オーバーヘッドシャワー用操作ハンドル２３の回転位置を把握しやすい。
【符号の説明】
【０１０８】
１０  シャワー装置（水栓装置）
２３  オーバーヘッドシャワー用操作ハンドル（操作ハンドル）
３１  水栓本体
４６  円筒ストッパ部材（可動側部材）
４７  円環クリック部材（固定側部材）
１４２ａ  散水孔（上方側吐水口）
２３０  操作ハンドル本体（円筒部）
２３１  指示突出部（突出部）
４６１  係合凸部（凸部）
４６１ａ  第１湾曲面（第１傾斜部）
４６１ｂ  第２湾曲面（第２傾斜部）
４７１  係合凹溝（凹溝）
４７１ａ  第１傾斜面（第１傾斜部）
４７１ｂ  第２傾斜面（第２傾斜部）
５０１  下方側吐水口
【図１】
2019044436.tif 000003
【図２】
2019044436.tif 000004
【図３】
2019044436.tif 000005
【図４】
2019044436.tif 000006
【図５】
2019044436.tif 000007
【図６】
2019044436.tif 000008
【図７】
2019044436.tif 000009
【図８】
2019044436.tif 000010
【図９】
2019044436.tif 000011
【図１０】
2019044436.tif 000012
【図１１】
2019044436.tif 000013
【図１２】
2019044436.tif 000014
【図１３】
2019044436.tif 000015
【図１４】
2019044436.tif 000016